(57)【特許請求の範囲】
【請求項１】
複数の移動局が共有する第１のチャネルと、それぞれの移動局が専有する第２のチャネルとによって、基地局から移動局へのデータ送信が行われる移動通信システムに適用される移動局であって、
前記第１のチャネルによって、一の前記基地局から送信されるデータ信号を受信するデータ信号受信部と、
前記第２のチャネルによって、複数の前記基地局から送信される制御信号を受信する制御信号受信部と、
前記制御信号受信部において第２のチャネルによって受信した複数の制御信号のうち、前記データ信号受信部において第１のチャネルによって受信されるデータ信号の送信元の基地局からの制御信号を選択し、選択された制御信号の受信品質に関する受信品質情報を当該データ信号の送信元の基地局に送信する受信品質情報送信部と、
を備えることを特徴とする移動局。
【請求項２】
複数の移動局が共有する第１のチャネルと、それぞれの移動局が専有する第２のチャネルとによって、基地局から移動局へのデータ送信が行われる移動通信システムに適用される移動局であって、
前記第１のチャネルによって、一の前記基地局から送信されるデータ信号を受信するデータ信号受信部と、
前記第２のチャネルによって送信される複数の制御信号のうち、前記データ信号受信部において第１のチャネルによって受信されるデータ信号の送信元の基地局からの制御信号を選択し、選択された制御信号を受信する制御信号受信部と、
前記制御信号受信部によって受信した制御信号の受信品質に関する受信品質情報を前記データ信号の送信元の基地局に送信するための受信品質情報送信部と、
を備えることを特徴とする移動局。
【請求項３】
複数の移動局が共有する第１のチャネルと、それぞれの移動局が専有する第２のチャネルとによって、基地局から移動局へのデータ送信が行われる移動通信システムに適用される移動局であって、
前記第１のチャネルによって、一の前記基地局から送信されるデータ信号を受信するデータ信号受信部と、
前記第２のチャネルによって、複数の前記基地局から送信される制御信号を受信する制御信号受信部と、
前記制御信号受信部において第２のチャネルによって受信した複数の制御信号のうち、前記データ信号受信部において第１のチャネルによって受信されるデータ信号の送信元の基地局からの制御信号を選択し、選択された制御信号の受信電力に関する受信電力情報を当該データ信号の送信元の基地局に送信する受信電力情報送信部と、
を備えることを特徴とする移動局。
【請求項４】
複数の移動局が共有する第１のチャネルと、それぞれの移動局が専有する第２のチャネルとによって、基地局から移動局へのデータ送信が行われる移動通信システムに適用される移動局であって、
前記第１のチャネルによって、一の前記基地局から送信されるデータ信号を受信するデータ信号受信部と、
前記第２のチャネルによって送信される複数の制御信号のうち、前記データ信号受信部において第１のチャネルによって受信されるデータ信号の送信元の基地局からの制御信号を選択し、選択された制御信号を受信する制御信号受信部と、
前記制御信号受信部によって受信した制御信号の受信電力に関する受信電力情報を前記データ信号の送信元の基地局に送信するための受信電力情報送信部と、
を備えることを特徴とする移動局。
【請求項５】
複数の移動局が共有する第１のチャネルと、それぞれの移動局が専有する第２のチャネルとによって、基地局から移動局へのデータ送信が行われる移動通信システムであって、
請求項１又は２に記載の移動局と、
前記移動局にデータ信号及び制御信号を送信する基地局と、
前記基地局によって送信されるデータ信号及び制御信号の伝送制御を行う制御装置と、
を備え、
前記制御装置は、前記移動局から送信された、該移動局により選択された制御信号の受信品質情報に基づいて、前記第１のチャネルによって送信するデータ信号の伝送制御を行う、
ことを特徴とする移動通信システム。
【請求項６】
複数の移動局が共有する第１のチャネルと、それぞれの移動局が専有する第２のチャネルとによって、基地局から移動局へのデータ送信が行われる移動通信システムであって、
請求項１又は２に記載の移動局と、
前記移動局にデータ信号及び制御信号を送信する基地局と、
前記基地局によって送信されるデータ信号及び制御信号の伝送制御を行う制御装置と、
を備え、
前記制御装置は、前記移動局から送信された、該移動局により選択された制御信号の受信品質情報に基づいて、前記第１のチャネルによって送信するデータ信号の送信電力の制御を行う、
ことを特徴とする移動通信システム。
【請求項７】
複数の移動局が共有する第１のチャネルと、それぞれの移動局が専有する第２のチャネルとによって、基地局から移動局へのデータ送信が行われる移動通信システムであって、
請求項３又は４に記載の移動局と、
前記移動局にデータ信号及び制御信号を送信する基地局と、
前記基地局によって送信されるデータ信号及び制御信号の伝送制御を行う制御装置と、
を備え、
前記制御装置は、前記移動局から送信された、該移動局により選択された制御信号の受信電力情報に基づいて、前記第１のチャネルによって送信するデータ信号の送信電力の制御を行う、
ことを特徴とする移動通信システム。
【請求項８】
複数の移動局が共有する第１のチャネルと、それぞれの移動局が専有する第２のチャネルとによって、基地局から移動局へのデータ送信が行われる移動通信システムであって、
移動局と、
前記移動局にデータ信号及び制御信号を送信する基地局と、
前記基地局によって送信されるデータ信号及び制御信号の伝送制御を行う制御装置と、
を備え、
前記移動局は、
前記第１のチャネルによって、一の前記基地局から送信されるデータ信号を受信するデータ信号受信部と、
前記第２のチャネルによって、複数の前記基地局から送信される制御信号を受信する制御信号受信部と、
前記制御信号受信部において第２のチャネルによって受信した複数の制御信号の受信品質に関する複数の受信品質情報を前記第１のチャネルによってデータ信号を送信する基地局に送信する受信品質情報送信部と、
を有し、
前記制御装置は、
前記移動局から送信された複数の受信品質情報のうち、前記第１のチャネルによってデータ信号を送信する基地局の制御信号についての受信品質情報を選択し、選択された受信品質情報に基づいて、前記第１のチャネルによって送信するデータ信号の伝送制御を行う、
ことを特徴とする移動通信システム。
【請求項９】
複数の移動局が共有する第１のチャネルと、それぞれの移動局が専有する第２のチャネルとによって、基地局から移動局へのデータ送信が行われる移動通信システムであって、
移動局と、
前記移動局にデータ信号及び制御信号を送信する基地局と、
前記基地局によって送信されるデータ信号及び制御信号の伝送制御を行う制御装置と、
を備え、
前記移動局は、
前記第１のチャネルによって、一の前記基地局から送信されるデータ信号を受信するデータ信号受信部と、
前記第２のチャネルによって、複数の前記基地局から送信される制御信号を受信する制御信号受信部と、
前記制御信号受信部において第２のチャネルによって受信した複数の制御信号の受信品質に関する複数の受信品質情報を前記第１のチャネルによってデータ信号を送信する基地局に送信する受信品質情報送信部と、
を有し、
前記制御装置は、
前記移動局から送信された複数の受信品質情報のうち、前記第１のチャネルによってデータ信号を送信する基地局の制御信号についての受信品質情報を選択し、選択された受信品質情報に基づいて、前記第１のチャネルによって送信するデータ信号の送信電力の制御を行う、
ことを特徴とする移動通信システム。
【請求項１０】
複数の移動局が共有する第１のチャネルと、それぞれの移動局が専有する第２のチャネルとによって、基地局から移動局へのデータ送信が行われる移動通信システムであって、
移動局と、
前記移動局にデータ信号及び制御信号を送信する基地局と、
前記基地局によって送信されるデータ信号及び制御信号の伝送制御を行う制御装置と、
を備え、
前記移動局は、
前記第１のチャネルによって、一の前記基地局から送信されるデータ信号を受信するデータ信号受信部と、
前記第２のチャネルによって、複数の前記基地局から送信される制御信号を受信する制御信号受信部と、
前記制御信号受信部において第２のチャネルによって受信した複数の制御信号の受信電力に関する複数の受信電力情報を前記第１のチャネルによってデータ信号を送信する基地局に送信する受信電力情報送信部と、
を有し、
前記制御装置は、
前記移動局から送信された複数の受信電力情報のうち、前記第１のチャネルによってデータ信号を送信する基地局の制御信号についての受信電力情報を選択し、選択された受信電力情報に基づいて、前記第１のチャネルによって送信するデータ信号の送信電力の制御を行う、
ことを特徴とする移動通信システム。
【請求項１１】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から前記移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号を前記移動局が受信する制御信号受信ステップと、
前記制御信号受信ステップにおいて受信した複数の制御信号のうち、前記データ信号送信ステップにおいて第１のチャネルによってデータ信号を送信する基地局からの制御信号を選択し、選択された制御信号の受信品質に関する受信品質情報を前記移動局から当該データ信号を送信する基地局に送信する受信品質情報送信ステップと、
前記受信品質情報送信ステップにおいて前記移動局から送信された受信品質情報を受信し、受信した受信品質情報に基づいて、前記データ信号を送信する基地局が送信するデータ信号の伝送制御を行う伝送制御ステップと、
を備えることを特徴とするハンドオーバー制御方法。
【請求項１２】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から前記移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号のうち、前記データ信号送信ステップにおいて第１のチャネルによってデータ信号を送信する基地局からの制御信号を前記移動局が選択し、該移動局が選択された制御信号を受信する制御信号受信ステップと、
前記制御信号受信ステップにおいて受信した制御信号の受信品質に関する受信品質情報を前記移動局から前記データ信号を送信する基地局に送信する受信品質情報送信ステップと、
前記受信品質情報送信ステップにおいて前記移動局から送信された受信品質情報を受信し、受信した受信品質情報に基づいて、前記データ信号を送信する基地局が送信するデータ信号の伝送制御を行う伝送制御ステップと、
を備えることを特徴とするハンドオーバー制御方法。
【請求項１３】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から前記移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号を前記移動局が受信する制御信号受信ステップと、
前記制御信号受信ステップにおいて受信した複数の制御信号のうち、前記データ信号送信ステップにおいて第１のチャネルによってデータ信号を送信する基地局からの制御信号を選択し、選択された制御信号の受信品質に関する受信品質情報を前記移動局から当該データ信号を送信する基地局に送信する受信品質情報送信ステップと、
前記受信品質情報送信ステップにおいて前記移動局から送信された受信品質情報を受信し、受信した受信品質情報に基づいて、前記データ信号を送信する基地局が送信するデータ信号の送信電力の制御を行う送信電力制御ステップと、
を備えることを特徴とするハンドオーバー制御方法。
【請求項１４】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から前記移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号のうち、前記データ信号送信ステップにおいて第１のチャネルによってデータ信号を送信する基地局からの制御信号を前記移動局が選択し、該移動局が選択された制御信号を受信する制御信号受信ステップと、
前記制御信号受信ステップにおいて受信した制御信号の受信品質に関する受信品質情報を前記移動局から前記データ信号を送信する基地局に送信する受信品質情報送信ステップと、
前記受信品質情報送信ステップにおいて前記移動局から送信された受信品質情報を受信し、受信した受信品質情報に基づいて、前記データ信号を送信する基地局が送信するデータ信号の送信電力の制御を行う送信電力制御ステップと、
を備えることを特徴とするハンドオーバー制御方法。
【請求項１５】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から前記移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて前記複数の基地局から送信された複数の制御信号を前記移動局が受信する制御信号受信ステップと、
前記制御信号受信ステップにおいて受信した複数の制御信号のうち、前記データ信号送信ステップにおいてデータ信号を送信する基地局からの制御信号を選択し、選択された制御信号の受信電力に関する受信電力情報を前記移動局から当該データ信号を送信する基地局に送信する受信電力情報送信ステップと、
前記受信電力情報送信ステップにおいて前記移動局から送信された受信電力情報を受信し、受信した受信電力情報に基づいて、前記データ信号を送信する基地局が送信するデータ信号の送信電力の制御を行う送信電力制御ステップと、
を備えることを特徴とするハンドオーバー制御方法。
【請求項１６】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から前記移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号のうち、前記データ信号送信ステップにおいて第１のチャネルによってデータ信号を送信する基地局からの制御信号を前記移動局が選択し、該移動局が選択された制御信号を受信する制御信号受信ステップと、
前記制御信号受信ステップにおいて受信した制御信号の受信電力に関する受信電力情報を前記移動局から前記データ信号を送信する基地局に送信する受信電力情報送信ステップと、
前記受信電力情報送信ステップにおいて前記移動局から送信された受信電力情報を受信し、受信した受信電力情報に基づいて、前記データ信号を送信する基地局が送信するデータ信号の送信電力の制御を行う送信電力制御ステップと、
を備えることを特徴とするハンドオーバー制御方法。
【請求項１７】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号を前記移動局が受信する制御信号受信ステップと、
前記制御信号受信ステップにおいて受信した複数の制御信号の受信品質に関する複数の受信品質情報を前記移動局から前記一の基地局に送信する受信品質情報送信ステップと、
前記受信品質情報送信ステップにおいて前記移動局から送信された複数の受信品質情報を受信し、受信した複数の受信品質情報のうち、前記第１のチャネルによってデータ信号を送信する基地局の制御信号についての受信品質情報を選択し、選択された受信品質情報に基づいて、当該データ信号を送信する基地局が送信するデータ信号の伝送制御を行う伝送制御ステップと、
を備えることを特徴とするハンドオーバー制御方法。
【請求項１８】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号を前記移動局が受信する制御信号受信ステップと、
前記制御信号受信ステップにおいて受信した複数の制御信号の受信品質に関する複数の受信品質情報を前記移動局から前記一の基地局に送信する受信品質情報送信ステップと、
前記受信品質情報送信ステップにおいて前記移動局から送信された複数の受信品質情報を受信し、受信した複数の受信品質情報のうち、前記第１のチャネルによってデータ信号を送信する基地局の制御信号についての受信品質情報を選択し、選択された受信品質情報に基づいて、当該データ信号を送信する基地局が送信するデータ信号の送信電力の制御を行う送信電力制御ステップと、
を備えることを特徴とするハンドオーバー制御方法。
【請求項１９】
複数の移動局が共有する第１のチャネルと、それぞれの移動局が専有する第２のチャネルとによって、基地局から移動局へのデータ送信が行われる移動通信システムにおけるハンドオーバー制御方法であって、
一の前記基地局から移動局に対して前記第１のチャネルによってデータ信号を送信するデータ信号送信ステップと、
前記一の基地局を含む複数の基地局から前記移動局に対して前記第２のチャネルによって制御信号を送信する制御信号送信ステップと、
前記制御信号送信ステップにおいて第２のチャネルによって送信された複数の制御信号を前記移動局が受信する制御信号受信ステップと、
前記制御信号受信ステップにおいて受信した複数の制御信号の受信電力に関する複数の受信電力情報を前記移動局から前記一の基地局に送信する受信電力情報送信ステップと、
前記受信電力情報送信ステップにおいて前記移動局から送信された複数の受信電力情報を受信し、受信した複数の受信電力情報のうち、前記第１のチャネルによってデータ信号を送信する基地局の制御信号についての受信電力情報を選択し、選択された受信電力情報に基づいて、当該データ信号を送信する基地局が送信するデータ信号の送信電力の制御を行う送信電力制御ステップと、
を備えることを特徴とするハンドオーバー制御方法。
【請求項２０】
複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、
前記第１のチャネルによって、一の前記基地局から送信されるデータ信号を受信するデータ信号受信部、
前記第２のチャネルによって、複数の前記基地局から送信される制御信号を受信する制御信号受信部、
前記制御信号受信部において第２のチャネルによって受信した複数の制御信号のうち、前記データ信号受信部において第１のチャネルによって受信されるデータ信号の送信元の基地局からの制御信号を選択し、選択された制御信号の受信品質に関する受信品質情報を当該データ信号の送信元の基地局に送信する受信品質情報送信部、
として機能させることを特徴とするハンドオーバー制御プログラム。
【請求項２１】
複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、
前記第１のチャネルによって、一の前記基地局から送信されるデータ信号を受信するデータ信号受信部、
前記第２のチャネルによって送信される複数の制御信号のうち、前記データ信号受信部において第１のチャネルによって受信されるデータ信号の送信元の基地局からの制御信号を選択し、選択された制御信号を受信する制御信号受信部、
前記制御信号受信部によって受信した制御信号の受信品質に関する受信品質情報を前記データ信号の送信元の基地局に送信するための受信品質情報送信部、
として機能させることを特徴とするハンドオーバー制御プログラム。
【請求項２２】
複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、
前記第１のチャネルによって、一の前記基地局から送信されるデータ信号を受信するデータ信号受信部、
前記第２のチャネルによって、複数の前記基地局から送信される制御信号を受信する制御信号受信部、
前記制御信号受信部において第２のチャネルによって受信した複数の制御信号のうち、前記データ信号受信部において第１のチャネルによって受信されるデータ信号の送信元の基地局からの制御信号を選択し、選択された制御信号の受信電力に関する受信電力情報を当該データ信号の送信元の基地局に送信する受信電力情報送信部、
として機能させることを特徴とするハンドオーバー制御プログラム。
【請求項２３】
複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、
前記第１のチャネルによって、一の前記基地局から送信されるデータ信号を受信するデータ信号受信部、
前記第２のチャネルによって送信される複数の制御信号のうち、前記データ信号受信部において第１のチャネルによって受信されるデータ信号の送信元の基地局からの制御信号を選択し、選択された制御信号を受信する制御信号受信部、
前記制御信号受信部によって受信した制御信号の受信電力に関する受信電力情報を前記データ信号の送信元の基地局に送信するための受信電力情報送信部、
として機能させることを特徴とするハンドオーバー制御プログラム。
【請求項２４】
請求項２０〜２３のいずれか１項に記載のハンドオーバー制御プログラムを記録したコンピュータ読み取り可能な記録媒体。
【発明の詳細な説明】
【０００１】
【発明の属する技術分野】
本発明は、移動局、移動通信システム、ハンドオーバー制御方法、ハンドオーバー制御プログラム、及び記録媒体に関するものである。
【０００２】
【従来の技術】
現在普及している携帯電話のような移動通信システムでは、サービスエリア全体をセルと呼ばれる比較的小さなゾーンに分割してサービスを行っている。このようなシステムは、分割された複数の無線ゾーンをカバーする複数の基地局と、これら基地局との間に無線チャネルを設定して通信を行う移動局とによって構成されている。
【０００３】
基地局からある送信電力で送信された電波は減衰しながら空間を伝搬し、受信点に到達する。電波が受ける減衰量は送信点と受信点との距離が遠くなるほど大きくなるという性質があるため、基本的に遠い基地局から送信されるパイロットチャネルは弱い受信レベルで受信され、近い基地局から送信されるパイロットレベルは強い受信レベルで受信される。現実には、伝搬損失の大小は距離だけでなく、地形や建造物などの状況により異なってくるため、移動局の移動に伴って、各基地局からのパイロットチャネルの受信電力は大きく変動する。基地局から送信される信号をより良い品質で受信するためには、移動局は各基地局からのパイロットチャネルを常に監視し、最良の基地局を選択することが重要となる。このような制御を適用することにより、移動局の移動に伴って、その都度最良と判断される基地局は順次移り変わっていくため、移動局を接続する基地局も順次移り変わっていく。このように、移動に伴って順次接続する基地局を切り替えていく制御をハンドオーバー制御という。
【０００４】
ハンドオーバー制御には、ハードハンドオーバーとソフトハンドオーバーとがある。ハードハンドオーバーは、移動局が接続する基地局は常に１つで、移動に伴って接続する基地局を切り替えていくハンドオーバーである。これに対してソフトハンドオーバーは、移動局が複数の基地局と接続できる制御方法で、移動局は少なくとも１つの基地局と、状況によっては複数の基地局と接続する。移動局の移動に伴って、移動局と接続する基地局を追加したり削除したりしていくハンドオーバーである。ソフトハンドオーバーの１つとしてダイバーシチハンドオーバーがあるが、ダイバーシチハンドオーバーでは、複数の基地局から送信される信号を移動局にて合成して受信したり、移動局が送信した信号を複数の基地局で受信して合成したりすることが可能になるため、ダイバーシチ効果により受信品質が向上するという特徴がある。
【０００５】
基地局と移動局との間でいわゆるパケットデータをやりとりする方法、特に基地局から移動局方向への下り回線でパケットデータをやりとりする方法として、複数の移動局で共有される１つ、あるいは複数のチャネル上へ各移動局のデータを多重させて送出する方法が採用される場合がある。この場合の多重方法は、時分割多重や符号分割多重あるいは周波数分割多重などを用いることができ、さらに、基地局側の各種アルゴリズムによって効率良く各異動局へのデータ送出をスケジューリングすることが可能である。このように共有されるチャネルを用いる場合には、当該移動局宛てのデータが送出されるタイミングを通知したり、送信電力制御を適用したり、上り（移動局から基地局への送信）データの到達確認信号を送出したりする目的で、各移動局が専有して使用するチャネルが併用されるのが一般的である。この専有されるチャネルは比較的低ビットレートで全体の容量などにはあまり影響を与えないように配慮したチャネルが用意されることが多い。例えば、第３世代移動通信システムとして開発が進められ、２００１年５月からわが国においてサービスされているＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式においては、３ＧＲＰ（Ｔｈｉｒｄ  Ｇｅｎｅｒａｔｉｏｎ  Ｐａｒｔｎｅｒしｐ  Ｐｒｏｊｅｃｔ）規格において、複数のユーザで共有されるチャネル（物理チャネル）としてＰＤＳＣＨ（Ｐｈｙｓｉｃａｌ  Ｄｏｗｎｌｉｎｋ  Ｓｈａｒｅｄ  Ｃｈａｎｎｅｌ）が、これと併用して各ユーザが専有するチャネルとしてＡ−ＤＰＣＨ（Ａｓｓｏｃｉａｔｅｄ  Ｄｅｄｉｃａｔｅｄ  Ｐｈｙｓｉｃａｌ  Ｃｈａｎｎｅｌ）が規定されている。
【０００６】
【発明が解決しようとする課題】
上記したＰＤＳＣＨとＡ−ＤＰＣＨを併用するシステムにおけるハンドオーバーについて考えると、Ａ−ＤＰＣＨについてはダイバーシチハンドオーバーを適用することが可能である一方、ＰＤＳＣＨについては複数のユーザが共有しているため、それぞれの基地局で送信データのスケジューリングを行うことが困難であり、ダイバーシチハンドオーバーを適用することが困難である。従って、複数の移動局が共有して使用するＰＤＳＣＨとそれぞれの移動局が専有するＡ−ＤＰＣＨとを併用するシステムにおいては、ＰＤＳＣＨについてはハードハンドオーバーを、Ａ−ＤＰＣＨについてはソフトハンドオーバーを適用することになる。ＰＤＳＣＨの伝送制御は、Ａ−ＤＰＣＨによって送信される制御信号の受信品質に基づいて行われるが、Ａ−ＤＰＣＨについては受信品質が良好なソフトハンドオーバーを適用し、ＰＤＳＣＨについてはハードハンドオーバーを適用していることから、ＰＤＳＣＨにおける品質のアンバランスを生じ、データの受信品質の低下を招く結果となっていた。さらに、受信品質の低下は、未着データの再送につながるため、全体として送出するデータ量が増大し、他の移動局宛てのデータの遅延を生じさせ、最終的には収容加入者数が減少するなどの問題があった。
【０００７】
そこで、本発明は上記課題を解決し、複数の移動局が共有する第１のチャネルと、それぞれの移動局が専有する第２のチャネルを併用する移動通信システムにおいて、品質劣化や遅延の増大、あるいは収容加入者数の減少を引き起こさない移動局、移動通信システム、ハンドオーバー制御方法、ハンドオーバー制御プログラム、及び記録媒体を提供することを目的とする。
【０００８】
【課題を解決するための手段】
本発明に係る移動局は、複数の移動局が共有する第１のチャネルと、それぞれの移動局が専有する第２のチャネルとによって、基地局から移動局へのデータ送信が行われる移動通信システムに適用される移動局であって、第１のチャネルによって、一の基地局から送信されるデータ信号を受信するデータ信号受信部と、第２のチャネルによって、複数の基地局から送信される制御信号を受信する制御信号受信部と、制御信号受信部において第２のチャネルによって受信した複数の制御信号のうち、データ信号受信部において第１のチャネルによって受信されるデータの送信元の基地局からの制御信号を選択し、選択された制御信号の受信品質に関する受信品質情報を当該データ信号の送信元の基地局に送信する受信品質情報送信部と、を備えることを特徴とする。
【０００９】
このように移動局は、ハンドオーバー時に、第２のチャネルによって複数の基地局から送信される制御信号を受信し、受信した複数の制御のうち、第１のチャネルによってデータ送信を行う基地局からの制御信号を選択し、その制御信号の受信品質に関する情報（受信品質情報）を基地局に送信する。これにより、当該受信品質情報に基づいて、基地局が送信するデータ信号の伝送制御を行うことができ、第２のチャネルによって送信される制御信号の品質と、第１のチャネルによって送信されるデータ信号の品質のバランスを保ち、データ信号の受信品質を保つことができる。
【００１０】
本発明に係る移動局は、複数の移動局が共有する第１のチャネルと、それぞれの移動局が専有する第２のチャネルとによって、基地局から移動局へのデータ送信が行われる移動通信システムに適用される移動局であって、第１のチャネルによって、一の基地局から送信されるデータ信号を受信するデータ信号受信部と、第２のチャネルによって送信される複数の制御信号のうち、データ信号受信部において第１のチャネルによって受信されるデータ信号の送信元の基地局からの制御信号を選択し、選択された制御信号を受信する制御信号受信部と、制御信号受信部によって受信した制御信号の受信品質に関する受信品質情報をデータ信号の送信元の基地局に送信するための受信品質情報送信部と、を備えることを特徴とする。
【００１１】
このように移動局は、ハンドオーバー時に、第２のチャネルによって複数の基地局から送信される制御信号のうち、第１のチャネルによってデータ送信を行う基地局からの制御信号を選択的に受信し、その制御信号の受信品質に関する情報を基地局に送信する。これにより、当該受信品質情報に基づいて、基地局が送信するデータ信号の伝送制御を行うことができ、第２のチャネルによって送信される制御信号の品質と、第１のチャネルによって送信されるデータ信号の品質のバランスを保ち、データ信号の受信品質を保つことができる。
【００１２】
本発明に係る移動局は、複数の移動局が共有する第１のチャネルと、それぞれの移動局が専有する第２のチャネルとによって、基地局から移動局へのデータ送信が行われる移動通信システムに適用される移動局であって、第１のチャネルによって、一の基地局から送信されるデータ信号を受信するデータ信号受信部と、第２のチャネルによって、複数の基地局から送信される制御信号を受信する制御信号受信部と、制御信号受信部において第２のチャネルによって受信した複数の制御信号のうち、データ信号受信部において第１のチャネルによって受信されるデータの送信元の基地局からの制御信号を選択し、選択された制御信号の受信電力に関する受信電力情報を当該データ信号の送信元の基地局に送信する受信電力情報送信部と、を備えることを特徴とする。
【００１３】
このように移動局は、ハンドオーバー時に、第２のチャネルによって複数の基地局から送信される制御信号を受信し、受信した複数の制御のうち、第１のチャネルによってデータ送信を行う基地局からの制御信号を選択し、その制御信号の受信電力に関する情報を基地局に送信する。これにより、当該受信電力情報に基づいて、基地局から送信されるデータ信号の送信電力の制御を行うことができ、第２のチャネルによって送信される制御信号の品質と、第１のチャネルによって送信されるデータ信号の品質のバランスを保ち、データ信号の受信品質を保つことができる。
【００１４】
本発明に係る移動局は、複数の移動局が共有する第１のチャネルと、それぞれの移動局が専有する第２のチャネルとによって、基地局から移動局へのデータ送信が行われる移動通信システムに適用される移動局であって、第１のチャネルによって、一の基地局から送信されるデータ信号を受信するデータ信号受信部と、第２のチャネルによって送信される複数の制御信号のうち、データ信号受信部において第１のチャネルによって受信されるデータ信号の送信元の基地局からの制御信号を選択し、選択された制御信号を受信する制御信号受信部と、制御信号受信部によって受信した制御信号の受信電力に関する受信電力情報をデータ信号の送信元の基地局に送信するための受信電力情報送信部と、を備えることを特徴とする。
【００１５】
このように移動局は、ハンドオーバー時に、第２のチャネルによって複数の基地局から送信される制御信号のうち、第１のチャネルによってデータ送信を行う基地局からの制御信号を選択的に受信し、その制御信号の受信電力に関する情報を基地局に送信する。これにより、当該受信電力情報に基づいて、基地局から送信されるデータ信号の送信電力の制御を行うことができ、第２のチャネルによって送信される制御信号の品質と、第１のチャネルによって送信されるデータ信号の品質のバランスを保ち、データ信号の受信品質を保つことができる。
【００１６】
本発明に係る移動通信システムは、複数の移動局が共有する第１のチャネルと、それぞれの移動局が専有する第２のチャネルとによって、基地局から移動局へのデータ送信が行われる移動通信システムであって、上記移動局と、移動局にデータ信号及び制御信号を送信する基地局と、基地局によって送信されるデータ信号及び制御信号の伝送制御を行う制御装置とを備え、制御装置は、移動局から送信された、該移動局により選択された制御信号の受信品質情報に基づいて、第１のチャネルによって送信するデータ信号の伝送制御を行う、ことを特徴とする。
【００１７】
本発明に係る移動通信システムは、基地局から移動局へのデータ信号及び制御信号の伝送制御を行う制御装置を備え、この制御装置は移動局から送信される受信品質情報に基づいて、第１のチャネルによるデータ信号送信の伝送制御を行う。これにより、第２のチャネルによって送信される制御信号の品質と、第１のチャネルによって送信されるデータ信号の品質のバランスを保ち、データ信号の受信品質を保つことができる。
【００１８】
本発明に係る移動通信システムは、複数の移動局が共有する第１のチャネルと、それぞれの移動局が専有する第２のチャネルとによって、基地局から移動局へのデータ送信が行われる移動通信システムであって、上記移動局と、移動局にデータ信号及び制御信号を送信する基地局と、基地局によって送信されるデータ信号及び制御信号の伝送制御を行う制御装置と、を備え、制御装置は、移動局から送信された、該移動局により選択された制御信号の受信品質情報に基づいて、第１のチャネルによって送信するデータ信号の送信電力の制御を行うことを特徴とする。
【００１９】
本発明に係る移動通信システムは、基地局から移動局へのデータ信号及び制御信号の伝送制御を行う制御装置を備え、この制御装置は移動局から送信される受信品質情報に基づいて、第１のチャネルによるデータ信号送信の送信電力の制御を行う。これにより、第２のチャネルによって送信される制御信号の品質と、第１のチャネルによって送信されるデータ信号の品質のバランスを保ち、データ信号の受信品質を保つことができる。
【００２０】
本発明に係る移動通信システムは、複数の移動局が共有する第１のチャネルと、それぞれの移動局が専有する第２のチャネルとによって、基地局から移動局へのデータ送信が行われる移動通信システムであって、上記移動局と、移動局にデータ信号及び制御信号を送信する基地局と、基地局によって送信されるデータ信号及び制御信号の伝送制御を行う制御装置とを備え、制御装置は、移動局から送信された、該移動局により選択された制御信号の受信電力情報に基づいて、第１のチャネルによって送信するデータ信号の送信電力の制御を行う、ことを特徴とする。
【００２１】
本発明に係る移動通信システムは、基地局から移動局へのデータ信号及び制御信号の伝送制御を行う制御装置を備え、この制御装置は移動局から送信される受信品質情報に基づいて、第１のチャネルによるデータ信号の送信電力の制御を行う。これにより、第２のチャネルによって送信される制御信号の品質と、第１のチャネルによって送信されるデータ信号の品質のバランスを保ち、データ信号の受信品質を保つことができる。
【００２２】
本発明に係る移動通信システムは、複数の移動局が共有する第１のチャネルと、それぞれの移動局が専有する第２のチャネルとによって、基地局から移動局へのデータ送信が行われる移動通信システムであって、移動局と、移動局にデータ信号及び制御信号を送信する基地局と、基地局によって送信されるデータ信号及び制御信号の伝送制御を行う制御装置とを備え、移動局は、第１のチャネルによって、一の基地局から送信されるデータ信号を受信するデータ信号受信部と、第２のチャネルによって、複数の基地局から送信される制御信号を受信する制御信号受信部と、制御信号受信部において第２のチャネルによって受信した複数の制御信号の受信品質に関する複数の受信品質情報を第１のチャネルによってデータ信号を送信する基地局に送信する受信品質情報送信部とを有し、制御装置は、移動局から送信された複数の受信品質情報のうち、第１のチャネルによってデータ信号を送信する基地局の制御信号についての受信品質情報を選択し、選択された受信品質情報に基づいて、第１のチャネルによって送信するデータ信号の伝送制御を行うことを特徴とする。
【００２３】
本発明に係る移動通信システムでは、移動局は複数の基地局から送信される制御信号の受信品質に関する情報を基地局に送信し、制御装置は移動局から送信された複数の受信品質情報のうち、データ信号を送信する基地局の制御信号の受信品質情報に基づいて、第１のチャネルによって基地局から移動局へ送信されるデータ信号の伝送制御を行う。これにより、第２のチャネルによって送信される制御信号の品質と、第１のチャネルによって送信されるデータ信号の品質のバランスを保ち、データ信号の受信品質を保つことができる。
【００２４】
本発明に係る移動通信システムは、複数の移動局が共有する第１のチャネルと、それぞれの移動局が専有する第２のチャネルとによって、基地局から移動局へのデータ送信が行われる移動通信システムであって、移動局と、移動局にデータ信号及び制御信号を送信する基地局と、基地局によって送信されるデータ信号及び制御信号の伝送制御を行う制御装置と、を備え、移動局は、第１のチャネルによって、一の基地局から送信されるデータ信号を受信するデータ信号受信部と、第２のチャネルによって、複数の基地局から送信される制御信号を受信する制御信号受信部と、制御信号受信部において第２のチャネルによって受信した複数の制御信号の受信品質に関する複数の受信品質情報を第１のチャネルによってデータ信号を送信する基地局に送信する受信品質情報送信部と、を有し、制御装置は、移動局から送信された複数の受信品質情報のうち、第１のチャネルによってデータ信号を送信する基地局の制御信号についての受信品質情報を選択し、選択された受信品質情報に基づいて、第１のチャネルによって送信するデータ信号の送信電力の制御を行う、ことを特徴とする。
【００２５】
本発明に係る移動通信システムでは、移動局は複数の基地局から送信される制御信号の受信品質に関する情報を基地局に送信し、制御装置は移動局から送信された複数の受信品質情報のうち、データ信号を送信する基地局の制御信号の受信品質情報に基づいて、第１のチャネルによって基地局から移動局へ送信されるデータ信号の送信電力の制御を行う。これにより、第２のチャネルによって送信される制御信号の品質と、第１のチャネルによって送信されるデータ信号の品質のバランスを保ち、データ信号の受信品質を保つことができる。
【００２６】
本発明に係る移動通信システムは、複数の移動局が共有する第１のチャネルと、それぞれの移動局が専有する第２のチャネルとによって、基地局から移動局へのデータ送信が行われる移動通信システムであって、移動局と、移動局にデータ信号及び制御信号を送信する基地局と、基地局によって送信されるデータ信号及び制御信号の伝送制御を行う制御装置とを備え、移動局は、第１のチャネルによって、一の基地局から送信されるデータ信号を受信するデータ信号受信部と、第２のチャネルによって、複数の基地局から送信される制御信号を受信する制御信号受信部と、制御信号受信部において第２のチャネルによって受信した複数の制御信号の受信電力に関する複数の受信電力情報を第１のチャネルによってデータ信号を送信する基地局に送信する受信電力情報送信部とを有し、制御装置は、移動局から送信された複数の受信電力情報のうち、第１のチャネルによってデータ信号を送信する基地局の制御信号についての受信電力情報を選択し、選択された受信電力情報に基づいて、第１のチャネルによって送信するデータ信号の送信電力の制御を行うことを特徴とする。
【００２７】
本発明に係る移動通信システムでは、移動局は複数の基地局から送信される制御信号の受信電力に関する情報を基地局に送信し、制御装置は移動局から送信された複数の受信電力情報のうち、データ信号を送信する基地局の制御信号の受信電力情報に基づいて、第１のチャネルによって基地局から移動局へ送信されるデータ送信の送信電力の制御を行う。これにより、第２のチャネルによって送信される制御信号の品質と、第１のチャネルによって送信されるデータ信号の品質のバランスを保ち、データ信号の受信品質を保つことができる。
【００２８】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号を移動局が受信する制御信号受信ステップと、制御信号受信ステップにおいて受信した複数の制御信号のうち、データ信号送信ステップにおいて第１のチャネルによってデータ信号を送信する基地局からの制御信号を選択し、選択された制御信号の受信品質に関する受信品質情報を移動局から当該データ信号を送信する基地局に送信する受信品質情報送信ステップと、受信品質情報送信ステップにおいて移動局から送信された受信品質情報を受信し、受信した受信品質情報に基づいて、データ信号を送信する基地局が送信するデータ信号の伝送制御を行う伝送制御ステップと、を備えることを特徴とする。
【００２９】
このようにハンドオーバー時に、第２のチャネルによって複数の基地局から送信される制御信号を受信し、受信した複数の制御信号のうち、第１のチャネルによってデータ送信を行う基地局からの制御信号を選択し、その制御信号の受信品質に関する情報を基地局に送信する。そして、送信された受信品質情報に基づいて、当該基地局から移動局へのデータ信号送信の伝送制御を行う。これにより、第２のチャネルによって送信される制御信号の品質と、第１のチャネルによって送信されるデータ信号の品質のバランスを保ち、データ信号の受信品質を保つことができる。
【００３０】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号のうち、データ信号送信ステップにおいて第１のチャネルによってデータ信号を送信する基地局からの制御信号を移動局が選択し、該移動局が選択された制御信号を受信する制御信号受信ステップと、制御信号受信ステップにおいて受信した制御信号の受信品質に関する受信品質情報を移動局からデータ信号を送信する基地局に送信する受信品質情報送信ステップと、受信品質情報送信ステップにおいて送信された受信品質情報を受信し、受信した受信品質情報に基づいて、データ信号を送信する基地局が送信するデータ信号の伝送制御を行う伝送制御ステップと、を備えることを特徴とする。
【００３１】
このようにハンドオーバー時に、第２のチャネルによって複数の基地局から送信される制御信号のうち、第１のチャネルによってデータ送信を行う基地局からの制御信号を選択的に受信し、その制御信号の受信品質に関する情報を基地局に送信する。そして、送信された受信品質情報に基づいて、当該基地局から移動局へのデータ信号送信の伝送制御を行う。これにより、第２のチャネルによって送信される制御信号の品質と、第１のチャネルによって送信されるデータ信号の品質のバランスを保ち、データ信号の受信品質を保つことができる。
【００３２】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号を移動局が受信する制御信号受信ステップと、制御信号受信ステップにおいて受信した複数の制御信号のうち、データ信号送信ステップにおいて第１のチャネルによってデータ信号を送信する基地局からの制御信号を選択し、選択された制御信号の受信品質に関する受信品質情報を移動局から当該データ信号を送信する基地局に送信する受信品質情報送信ステップと、受信品質情報送信ステップにおいて移動局から送信された受信品質情報を受信し、受信した受信品質情報に基づいて、データ信号を送信する基地局が送信するデータ信号の送信電力の制御を行う送信電力制御ステップと、を備えることを特徴とする。
【００３３】
このようにハンドオーバー時に、第２のチャネルによって複数の基地局から送信される制御信号を受信し、受信した複数の制御信号のうち、第１のチャネルによってデータ送信を行う基地局からの制御信号を選択し、その制御信号の受信品質に関する情報を基地局に送信する。そして、送信された受信品質情報に基づいて、当該基地局から移動局へのデータ信号送信の送信電力の制御を行う。これにより、第２のチャネルによって送信される制御信号の品質と、第１のチャネルによって送信されるデータ信号の品質のバランスを保ち、データ信号の受信品質を保つことができる。
【００３４】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号のうち、データ信号送信ステップにおいて第１のチャネルによってデータ信号を送信する基地局からの制御信号を移動局が選択し、該移動局が選択された制御信号を受信する制御信号受信ステップと、制御信号受信ステップにおいて受信した制御信号の受信品質に関する受信品質情報を移動局からデータ信号を送信する基地局に送信する受信品質情報送信ステップと、受信品質情報送信ステップにおいて移動局から送信された受信品質情報を受信し、受信した受信品質情報に基づいて、データ信号を送信する基地局が送信するデータ信号の送信電力の制御を行う送信電力制御ステップと、を備えることを特徴とする。
【００３５】
このようにハンドオーバー時に、第２のチャネルによって複数の基地局から送信される制御信号のうち、第１のチャネルによってデータ送信を行う基地局からの制御信号を選択的に受信し、その制御信号の受信品質に関する情報を基地局に送信する。そして、送信された受信品質情報に基づいて、当該基地局から移動局へのデータ信号送信の送信電力の制御を行う。これにより、第２のチャネルによって送信される制御信号の品質と、第１のチャネルによって送信されるデータ信号の品質のバランスを保ち、データ信号の受信品質を保つことができる。
【００３６】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて複数の基地局から送信された複数の制御信号を移動局が受信する制御信号受信ステップと、制御信号受信ステップにおいて受信した複数の制御信号のうち、データ信号送信ステップにおいてデータ信号を送信する基地局からの制御信号を選択し、選択された制御信号の受信電力に関する受信電力情報を移動局からデータ信号を送信する基地局に送信する受信電力情報送信ステップと、受信電力情報送信ステップにおいて移動局から送信された受信電力情報を受信し、受信した受信電力情報に基づいて、データ信号を送信する基地局が送信するデータ信号の送信電力の制御を行う送信電力制御ステップと、を備えることを特徴とする。
【００３７】
このようにハンドオーバー時に、第２のチャネルによって複数の基地局から送信される制御信号を受信し、受信した複数の制御信号のうち、第１のチャネルによってデータ送信を行う基地局からの制御信号を選択し、その制御信号の受信電力に関する情報を基地局に送信する。そして、送信された受信電力情報に基づいて、基地局から移動局へのデータ信号の送信電力の制御を行う。これにより、第２のチャネルによって送信される制御信号の品質と、第１のチャネルによって送信されるデータ信号の品質のバランスを保ち、データ信号の受信品質を保つことができる。
【００３８】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号のうち、データ信号送信ステップにおいて第１のチャネルによってデータ信号を送信する基地局からの制御信号を移動局が選択し、該移動局が選択された制御信号を受信する制御信号受信ステップと、制御信号受信ステップにおいて受信した制御信号の受信電力に関する受信電力情報を移動局からデータ信号を送信する基地局に送信する受信電力情報送信ステップと、受信電力情報送信ステップにおいて移動局から送信された受信電力情報を受信し、受信した受信電力情報に基づいて、データ信号を送信する基地局が送信するデータ信号の送信電力の制御を行う送信電力制御ステップと、を備えることを特徴とする。
【００３９】
このようにハンドオーバー時に、第２のチャネルによって複数の基地局から送信される制御信号のうち、第１のチャネルによってデータ送信を行う基地局からの制御信号を選択的に受信し、その制御信号の受信電力に関する情報を基地局に送信する。そして、当該受信電力情報に基づいて、基地局から移動局へのデータ送信の送信電力の制御を行う。これにより、第２のチャネルによって送信される制御信号の品質と、第１のチャネルによって送信されるデータ信号の品質のバランスを保ち、データ信号の受信品質を保つことができる。
【００４０】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号を移動局が受信する制御信号受信ステップと、制御信号受信ステップにおいて受信した複数の制御信号の受信品質に関する複数の受信品質情報を移動局から一の基地局に送信する受信品質情報送信ステップと、受信品質情報送信ステップにおいて移動局から送信された複数の受信品質情報を受信し、受信した複数の受信品質情報のうち、第１のチャネルによってデータ信号を送信する基地局の制御信号についての受信品質情報を選択し、選択された受信品質情報に基づいて、当該データ信号を送信する基地局が送信するデータ信号の伝送制御を行う伝送制御ステップと、を備えることを特徴とする。
【００４１】
このようにハンドオーバー時に、第２のチャネルによって複数の基地局から送信される制御信号を受信し、受信した制御信号の受信品質に関する情報を基地局に送信する。そして、移動局から送信された受信品質情報のうち、第１のチャネルによってデータ信号送信を行う基地局の制御信号の受信品質情報に基づいて、当該基地局から移動局へのデータ信号送信の伝送制御を行う。これにより、第２のチャネルによって送信される制御信号の品質と、第１のチャネルによって送信されるデータ信号の品質のバランスを保ち、データ信号の受信品質を保つことができる。
【００４２】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号を移動局が受信する制御信号受信ステップと、制御信号受信ステップにおいて受信した複数の制御信号の受信品質に関する複数の受信品質情報を移動局から一の基地局に送信する受信品質情報送信ステップと、受信品質情報送信ステップにおいて移動局から送信された複数の受信品質情報を受信し、受信した複数の受信品質情報のうち、第１のチャネルによってデータ信号を送信する基地局の制御信号についての受信品質情報を選択し、選択された受信品質情報に基づいて、当該データ信号を送信する基地局が送信するデータ信号の送信電力の制御を行う送信電力制御ステップと、を備えることを特徴とする。
【００４３】
このようにハンドオーバー時に、第２のチャネルによって複数の基地局から送信される制御信号を受信し、受信した制御信号の受信品質に関する情報を基地局に送信する。そして、移動局から送信された受信品質情報のうち、第１のチャネルによってデータ信号送信を行う基地局の制御信号の受信品質情報に基づいて、当該基地局から移動局へのデータ信号の送信電力の制御を行う。これにより、第２のチャネルによって送信される制御信号の品質と、第１のチャネルによって送信されるデータ信号の品質のバランスを保ち、データ信号の受信品質を保つことができる。
【００４４】
本発明に係るハンドオーバー制御方法は、複数の移動局が共有する第１のチャネルと、それぞれの移動局が専有する第２のチャネルとによって、基地局から移動局へのデータ送信が行われる移動通信システムにおけるハンドオーバー制御方法であって、一の基地局から移動局に対して第１のチャネルによってデータ信号を送信するデータ信号送信ステップと、一の基地局を含む複数の基地局から移動局に対して第２のチャネルによって制御信号を送信する制御信号送信ステップと、制御信号送信ステップにおいて第２のチャネルによって送信された複数の制御信号を移動局が受信する制御信号受信ステップと、制御信号受信ステップにおいて受信した複数の制御信号の受信電力に関する複数の受信電力情報を移動局から一の基地局に送信する受信電力情報送信ステップと、受信電力情報送信ステップにおいて移動局から送信された複数の受信電力情報を受信し、受信した複数の受信電力情報のうち、第１のチャネルによってデータ信号を送信する基地局の制御信号についての受信電力情報を選択し、選択された受信電力情報に基づいて、当該データ信号を送信する基地局が送信するデータ信号の送信電力の制御を行う送信電力制御ステップと、を備えることを特徴とする。
【００４５】
このようにハンドオーバー時に、第２のチャネルによって複数の基地局から送信される制御信号を受信し、受信した制御信号の受信電力に関する情報を基地局に送信する。そして、移動局から送信された受信電力情報のうち、第１のチャネルによってデータ信号送信を行う基地局の制御信号の受信電力情報に基づいて、当該基地局から移動局へのデータ信号送信の送信電力の制御を行う。これにより、第２のチャネルによって送信される制御信号の品質と、第１のチャネルによって送信されるデータ信号の品質のバランスを保ち、データ信号の受信品質を保つことができる。
【００４６】
本発明に係るハンドオーバー制御プログラムは、複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、第１のチャネルによって、一の基地局から送信されるデータ信号を受信するデータ信号受信部、第２のチャネルによって、複数の基地局から送信される制御信号を受信する制御信号受信部、制御信号受信部において第２のチャネルによって受信した複数の制御信号のうち、データ信号受信部において第１のチャネルによって受信されるデータの送信元の基地局からの制御信号を選択し、選択された制御信号の受信品質に関する受信品質情報を当該データ信号の送信元の基地局に送信する受信品質情報送信部、として機能させることを特徴とする。
【００４７】
本発明に係るハンドオーバー制御プログラムをコンピュータ（移動局）によって実行させることにより、ハンドオーバー時に、コンピュータに、第２のチャネルによって複数の基地局から送信される制御信号を受信させ、受信させた複数の制御のうち、第１のチャネルによってデータ送信を行う基地局からの制御信号を選択させ、その制御信号の受信品質に関する情報を基地局に送信させる。これにより、当該受信品質情報に基づいて、基地局が送信するデータ信号の伝送制御を行うことができ、第２のチャネルによって送信される制御信号の品質と、第１のチャネルによって送信されるデータ信号の品質のバランスを保ち、データ信号の受信品質を保つことができる。
【００４８】
本発明に係るハンドオーバー制御プログラムは、複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、第１のチャネルによって、一の基地局から送信されるデータ信号を受信するデータ信号受信部、第２のチャネルによって送信される複数の制御信号のうち、データ信号受信部において第１のチャネルによって受信されるデータ信号の送信元の基地局からの制御信号を選択し、選択された制御信号を受信する制御信号受信部、制御信号受信部によって受信した制御信号の受信品質に関する受信品質情報をデータ信号の送信元の基地局に送信するための受信品質情報送信部、として機能させることを特徴とする。
【００４９】
本発明に係るハンドオーバー制御プログラムをコンピュータ（移動局）によって実行させることにより、ハンドオーバー時に、コンピュータに、第２のチャネルによって複数の基地局から送信される制御信号のうち、第１のチャネルによってデータ送信を行う基地局からの制御信号を選択的に受信させ、その制御信号の受信品質に関する情報を基地局に送信させる。これにより、当該受信品質情報に基づいて、基地局が送信するデータ信号の伝送制御を行うことができ、第２のチャネルによって送信される制御信号の品質と、第１のチャネルによって送信されるデータ信号の品質のバランスを保ち、データ信号の受信品質を保つことができる。
【００５０】
本発明に係るハンドオーバー制御プログラムは、複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、第１のチャネルによって、一の基地局から送信されるデータ信号を受信するデータ信号受信部、第２のチャネルによって、複数の基地局から送信される制御信号を受信する制御信号受信部、制御信号受信部において第２のチャネルによって受信した複数の制御信号のうち、データ信号受信部において第１のチャネルによって受信されるデータの送信元の基地局からの制御信号を選択し、選択された制御信号の受信電力に関する受信電力情報を当該データ信号の送信元の基地局に送信する受信電力情報送信部、として機能させることを特徴とする。
【００５１】
本発明に係るハンドオーバー制御プログラムをコンピュータ（移動局）によって実行させることにより、ハンドオーバー時に、コンピュータに、第２のチャネルによって複数の基地局から送信される制御信号を受信させ、受信させた複数の制御のうち、第１のチャネルによってデータ送信を行う基地局からの制御信号を選択させ、その制御信号の受信電力に関する情報を基地局に送信させる。これにより、当該受信電力情報に基づいて、基地局から送信されるデータ信号の送信電力の制御を行うことができ、第２のチャネルによって送信される制御信号の品質と、第１のチャネルによって送信されるデータ信号の品質のバランスを保ち、データ信号の受信品質を保つことができる。
【００５２】
本発明に係るハンドオーバー制御プログラムは、複数の移動局が共有する第１のチャネルと、それぞれの移動局が専有する第２のチャネルとによって、基地局から移動局へのデータ送信が行われる移動通信システムに適用される移動局のハンドオーバーを制御するために、移動局を構成するコンピュータを、第１のチャネルによって、一の基地局から送信されるデータ信号を受信するデータ信号受信部、第２のチャネルによって送信される複数の制御信号のうち、データ信号受信部において第１のチャネルによって受信されるデータ信号の送信元の基地局からの制御信号を選択し、選択された制御信号を受信する制御信号受信部、制御信号受信部によって受信した複数の基地局からの制御信号の受信電力に関する受信電力情報をデータ信号の送信元の基地局に送信するための受信電力情報送信部、として機能させることを特徴とする。
【００５３】
本発明に係るハンドオーバー制御プログラムをコンピュータ（移動局）によって実行させることにより、ハンドオーバー時に、コンピュータに、第２のチャネルによって複数の基地局から送信される制御信号のうち、第１のチャネルによってデータ送信を行う基地局からの制御信号を選択的に受信させ、その制御信号の受信電力に関する情報を基地局に送信させる。これにより、当該受信電力情報に基づいて、基地局から送信されるデータ信号の送信電力の制御を行うことができ、第２のチャネルによって送信される制御信号の品質と、第１のチャネルによって送信されるデータ信号の品質のバランスを保ち、データ信号の受信品質を保つことができる。
【００５４】
本発明に係るコンピュータ読み取り可能な記録媒体は、上記ハンドオーバー制御プログラムを記録したことを特徴とする。
【００５５】
上記ハンドオーバー制御プログラムを記録した記録媒体は、記録されたプログラムをコンピュータによって読み出して実行させることにより、第２のチャネルによって送信される制御信号の品質と、第１のチャネルによって送信されるデータ信号の品質のバランスを保ち、データ信号の受信品質を保つことができる。
【００５６】
【発明の実施の形態】
以下、図面と共に本発明に係る移動通信システムの好適な実施形態について詳細に説明する。なお、図面の説明においては同一要素には同一符号を付し、重複する説明を省略する。
【００５７】
（第１実施形態）
図１は、実施形態に係る移動通信システム１を示す模式図である。図１に示されるように、実施形態に係る移動通信システム１は、分割された無線ゾーン（「セル」と呼ばれる）５０をそれぞれカバーする複数の基地局３０と、当該無線ゾーン５０内に存在し、基地局３０との間に無線チャネルを設定して通信を行う移動局１０とによって構成されている。
【００５８】
図２は、実施形態に係る移動通信システム１に適用されるチャネル設定について説明するための模式図である。図２に示されるように、基地局３０と移動局１０との間には２つの通信チャネルが設定されている。複数の移動局１０が共有して利用するＰＤＳＣＨと、それぞれの移動局１０が専有するＡ−ＤＰＣＨとである。図２に示されるように、Ａ−ＤＰＣＨによって複数の基地局３０から一の移動局１０に信号が送信されるが、ＰＤＳＣＨは一の基地局３０によって設定され、当該基地局３０から信号が送信される。ＰＤＳＣＨが設定される基地局３０は、移動局１０における受信レベルが最も大きいパイロットチャネルを送信している基地局３０である。
【００５９】
次に、実施形態に係る移動通信システム１で用いられるＰＤＳＣＨとＡ−ＤＰＣＨの構成について、図３に示す模式図を参照しながら説明する。ＰＤＳＣＨは、複数の移動局１０によって共有されるチャネルで、図３では移動局Ａ，Ｂ，Ｃへのデータを順次送信していく場合を示している。図３において長方形によって示されるのは無線フレーム（１０ｍｓ）、あるいは、誤り符号化やインタリーブの単位となるＴＴＩ（Ｔｒａｎｓｍｉｓｓｉｏｎ  Ｔｉｍｅ  Ｉｎｔｅｒｖａｌ）と呼ばれる時間単位などと考えることができる。基地局に到着した個々の移動局１０宛てのデータは、その到着順や個々のデータサイズなどにより、様々な順序でそれぞれの必要なフレーム数が割り当てられて順次送信されていく。ＰＤＳＣＨとは別に、移動局１０ごとに専有使用するＡ−ＤＰＣＨが設定される。このチャネルは、データの有無にかかわらず、常に設定されるチャネルである。図３に示すように、ＰＤＳＣＨによって、あるデータを移動局１０に送出しようとする場合には、移動局１０に対してＰＤＳＣＨによってデータ信号を受信するように、Ａ−ＤＰＣＨによって制御信号を送出する。図３では、理解を容易にするために、同一の無線フレームタイミングでこの制御信号を送出するかのように描いているが、実際にはデータ信号の送信に先立って制御信号を送出し、移動局１０はこの指令を受けた後に、ＰＤＳＣＨの受信を開始する。
【００６０】
図４は、第１実施形態に係る移動通信システム１に適用される移動局１０の構成を説明するブロック図である。移動局１０は、アンテナ１１と、アンテナ１１を介して信号を送受信する送受信機１２と、Ａ−ＤＰＣＨによってデータを送受信するＡ−ＤＰＣＨ送受信部１３と、Ａ−ＤＰＣＨ送受信部１３によるデータの送信／受信を制御するＡ−ＤＰＣＨ送受信制御部１４と、ＰＤＳＣＨによってデータを受信して復号するＰＤＳＣＨ受信部１５と、ＰＤＳＣＨ受信部１５によるデータの受信／停止を制御するＰＤＳＣＨ受信制御部１６と、ハンドオーバーの動作を制御するハンドオーバー制御部１９と、ダイバーシチハンドオーバーブランチとなり得る基地局３０を管理するアクティブセット管理部１７と、ダイバーシチハンドオーバーブランチを記憶するアクティブセット記憶領域１８と、Ａ−ＤＰＣＨ送受信部１３によって受信した制御信号の受信電力に関する情報を基地局３０に送信する受信電力情報送信部２０と、を有する。
【００６１】
アクティブセット管理部１７は、周辺セルの共通パイロットチャネルを常時監視し、ダイバーシチハンドオーバーブランチとなり得る基地局（「アクティブセット」という）３０を選定する機能と、アクティブセットに関する情報をアクティブセット記憶領域１８に記憶させる機能とを有する。ここでは、基地局３０Ａ，３０Ｂ，３０Ｃがアクティブセットとして選定されて記憶されている。
【００６２】
ハンドオーバー制御部１９は、Ａ−ＤＰＣＨ送受信部１３によって受信した制御信号に基づいて、ＰＤＳＣＨ信号をどの基地局３０からデータを受信するか判定し、ＰＤＳＣＨ受信制御部１６によってＰＤＳＣＨ受信部１５を制御して、ＰＤＳＣＨによって信号を受信させる機能を有する。
【００６３】
受信電力情報送信部２０は、Ａ−ＤＰＣＨ送受信部によって複数の基地局３０から受信した複数の制御信号のうちから一の制御信号を選択する機能を有する。一の制御信号を選択する方法は、制御信号を分析して、ＰＤＳＣＨ信号を送信している基地局３０を判定し、その基地局３０から送信された制御信号を選択する。さらに、受信電力情報送信部２０は、選択された制御信号の受信電力に関する情報をＡ−ＤＰＣＨ送受信部１３に送信させる機能を有する。
【００６４】
図５は、第１実施形態に係る通信システムに適用される基地局３０の構成を説明するブロック図である。基地局３０は、アンテナ３１と、アンテナ３１を介して信号を送受信する送受信機３２と、Ａ−ＤＰＣＨによってデータを送受信するＡ−ＤＰＣＨ送受信部３３と、Ａ−ＤＰＣＨ送受信部３３によるデータの送信／受信を制御するＡ−ＤＰＣＨ送受信制御部３４と、ＰＤＳＣＨによってデータを符号化して送信するＰＤＳＣＨ送信部３５と、ＰＤＳＣＨ送信部３５によるデータの送信／停止を制御するＰＤＳＣＨ送信制御部３６と、データ信号及び制御信号の送信電力などの伝送制御を行う制御装置４０と、を有する。
【００６５】
次に、第１実施形態に係る移動通信システム１によるハンドオーバー制御の動作について説明し、併せて、本発明の第１実施形態に係るハンドオーバー制御方法について説明する。図６は、第１実施形態に係る移動通信システム１によるハンドオーバー制御の動作を示すフローチャートである。ここでは、基地局３０Ａ，３０Ｂのみを描いているが、データ信号を送信する基地局３０Ａ以外の基地局３０の動作については、基地局３０Ｂの動作と同じである。
【００６６】
まず、複数の基地局３０Ａ，３０Ｂが移動局１０にＡ−ＤＰＣＨによって制御信号を送信する（Ｓ１０）。移動局１０は、基地局３０Ａ，３０Ｂから送信された制御信号をＡ−ＤＰＣＨ送受信部によって受信する（Ｓ１２）。複数の基地局３０Ａ，３０ＢからＡ−ＤＰＣＨによって制御信号が送信されるのは、複数の基地局３０Ａ，３０Ｂからの制御信号を合成して使用するダイバーシチハンドオーバーを行うためである。続いて、一の基地局３０Ａが移動局１０にＰＤＳＣＨによってデータ信号を送信する（Ｓ１４）。移動局１０は、基地局３０Ａから送信されるデータ信号をＰＤＳＣＨ受信部１５によって受信する（Ｓ１６）。この際、ハンドオーバー制御部１９が、先にＡ−ＤＰＣＨによって受信した制御信号に含まれる送信チャネルやその誤り訂正の情報に基づいてＰＤＳＣＨ受信制御部１６に指示を出し、ＰＤＳＣＨ受信制御部１６によってＰＤＳＣＨ受信部１５を制御してデータ信号を受信する。
【００６７】
ここで、ＰＤＳＣＨによってデータ信号を送信する基地局３０は、移動局１０における受信レベルが最も大きいパイロットチャネルを送出している基地局３０Ａである。各基地局３０Ａ，３０Ｂから移動局１０へのパイロットチャネルの送出、移動局１０におけるパイロットチャネルの受信レベルの判定、基地局３０の選定などのフローは、従来の方法と同じであるので、図６に示す動作フローでは省略している。
【００６８】
続いて、移動局１０は複数の基地局３０Ａ、３０ＢからＡ−ＤＰＣＨによって受信した制御信号のうち、一の制御信号を選択する（Ｓ１８）。この際に選択される制御信号は、データ信号を送信している基地局３０Ａからの制御信号である。
【００６９】
次に、移動局１０は、選択された制御信号の受信電力に関する情報を、データ信号を送信している基地局３０Ａに送信する（Ｓ２０）。より詳細には、受信電力情報送出部２０がＡ−ＤＰＣＨ送受信制御部１４に指示を出し、Ａ−ＤＰＣＨ送受信制御部１４がＡ−ＤＰＣＨ送受信部１３を制御することによって、受信電力情報を送信する。なお、受信電力に関する情報とは、受信電力の情報そのものでも良いし、また、基地局３０Ａが送信するデータ信号の送信電力を受信電力に基づいて制御するための情報でも良い。
【００７０】
基地局３０Ａは、移動局１０から送信された受信電力情報をＡ−ＤＰＣＨ送受信部３３によって受信する（Ｓ２２）。続いて基地局３０では、受信した受信電力情報に基づいて、制御装置４０がデータ信号の送信電力を制御する（Ｓ２４）。例えば、受信電力に所定のオフセットを加えて、データ信号の送信電力とする制御を行っても良い。そして、基地局３０Ａは、制御された送信電力を用いて、ＰＤＳＣＨによって移動局１０にデータ信号を送信する（Ｓ２６）。移動局１０は、基地局３０Ａから送信されたデータ信号をＰＤＳＣＨ受信部によって受信する（Ｓ２８）。なお、図６に示すフローは、送信すべきデータを送信し終えるまで繰り返される。
【００７１】
第１実施形態に係る移動通信システム１では、移動局１０が複数の基地局３０Ａ，３０ＢからＡ−ＤＰＣＨによって送信された制御信号のうち、データ信号を送信している基地局３０Ａからの制御信号を選択して、その受信電力に関する情報を基地局３０Ａに送信している。そして、基地局３０Ａに備えられた制御装置４０が、移動局１０から受信した受信電力情報に基づいてデータ信号の送信電力を制御している。このように、複数の基地局３０Ａ，３０Ｂからの制御信号が合成された受信電力ではなく、データ信号を送信している基地局３０Ａから送信された制御信号の受信電力に基づいて、データ信号の送信電力を制御することにより、共有チャネルによるデータ信号と専有チャネルによる制御信号との品質のバランスを保ち、共有チャネルでの受信品質の低下を防止することができる。そして、制御信号から取り出される情報の分析については、従来のように複数の制御信号を合成して用いることとすれば、制御信号から精度良く情報を取り出すことができる。
【００７２】
また、第１実施形態に係るハンドオーバー制御方法も同様に、複数の基地局３０Ａ，３０Ｂから受信した制御信号のうち、データ信号を送信している基地局３０Ａからの制御信号を選択して、その受信電力に関する情報を基地局３０Ａに送信し、これに基づいてデータ信号の送信電力を制御することにより、共有チャネルの受信品質の低下を防止することができる。
【００７３】
（第２実施形態）
次に、本発明の第２実施形態に係る移動通信システムについて説明する。第２実施形態に係る移動通信システムは、基本的な構成は第１実施形態に係る移動通信システム１と同じである（図４、図５参照）。第２実施形態に係る移動通信システムの移動局は、第１実施形態において説明した移動局１０とは異なり、Ａ−ＤＰＣＨ送受信部１３によって受信した複数の制御信号から一の制御信号を選択するのではなく、Ａ−ＤＰＣＨ送受信部１３が選択的に一の基地局３０Ａからの制御信号を受信する機能を有する。具体的には、基地局３０Ａ，３０ＢごとにＡ−ＤＰＣＨによって制御信号を送信する際の拡散符号が異なるので、ＰＤＳＣＨによってデータ信号を送信している基地局３０Ａ以外から送信される制御信号は、Ａ−ＤＰＣＨ送受信部１３によって復号化することなく破棄する。
【００７４】
続いて、第２実施形態に係る移動通信システムによるハンドオーバー制御の動作について説明し、併せて、本発明の第２施形態に係るハンドオーバー制御方法について説明する。図７は、第２実施形態に係る移動通信システムによるハンドオーバー制御の動作を示すフローチャートである。
【００７５】
まず、複数の基地局３０Ａ，３０Ｂが移動局１０にＡ−ＤＰＣＨによって制御信号を送信する（Ｓ１０）。移動局１０は、送信された制御信号のうち、ＰＤＳＣＨによって送信データを送信する基地局３０Ａ，３０Ｂからの制御信号をＡ−ＤＰＣＨ送受信部１３によって選択的に受信する（Ｓ１２）。すなわち、基地局３０ＡからＡ−ＤＰＣＨによって送信された制御信号を受信し、基地局３０ＢからＡ−ＤＰＣＨによって送信された制御信号は受信しない。この際、ＰＤＳＣＨによって送信データを送信する基地局３０Ａの判定は、アクティブセット記憶領域１８に記憶されているアクティブセットを参照することによって行うことができる。すなわち、アクティブセット記憶領域１８に記憶される情報は、アクティブセット管理部１７によって常に更新されると共に、Ａ−ＤＰＣＨ送受信部１３によって基地局３０Ａ，３０Ｂに送信され、基地局３０Ａ，３０Ｂを制御する無線制御装置（図示せず）が管理するアクティブセットの情報と同期がとられている。そして、無線制御装置はこのアクティブセットの情報に基づいて、Ｐ−ＤＳＣＨによって送信データを送信する基地局３０を決定するので、移動局１０は、移動局１０内のアクティブセット記憶領域１８に管理されている情報に基づいて、ＰＤＳＣＨによってデータ送信する基地局３０を判定することができる。
【００７６】
続いて、一の基地局３０Ａが移動局１０にＰＤＳＣＨによってデータ信号を送信する（Ｓ１４）。移動局１０は、基地局３０から送信されるデータ信号をＰＤＳＣＨ受信部１５によって受信する（Ｓ１６）。
【００７７】
次に、移動局１０は、受信した制御信号の受信電力に関する情報を、データ信号を送信している基地局３０Ａに送信する（Ｓ２０）。基地局３０Ａは、移動局１０から送信された受信電力に関する情報を受信する（Ｓ２２）。この後、受信した受信電力情報に基づいてデータ信号の送信電力を制御し（Ｓ２４）、制御された送信電力を用いて基地局３０Ａから移動局１０へデータ信号を送信し（Ｓ２６）、移動局１０が基地局３０Ａからのデータ信号を受信する（Ｓ２８）フローは、第１実施形態において説明した移動通信システム１のハンドオーバー制御の動作のフローと同じである。
【００７８】
第２実施形態に係る移動通信システムは、移動局１０が複数の基地局３０Ａ，３０ＢからＡ−ＤＰＣＨによって送信された制御信号のうち、データ信号を送信している基地局３０Ａからの制御信号を選択して受信し、その受信電力に関する情報を基地局３０Ａに送信している。そして、基地局３０Ａに備えられた制御装置４０が、受信電力情報に基づいてデータ信号の送信電力を制御している。これにより、第１実施形態に係る移動通信システム１と同様に、共有チャネルによるデータ信号と専有チャネルによる制御信号との品質のバランスを保ち、共有チャネルでの受信品質の低下を防止することができる。また、Ａ−ＤＰＣＨ送受信部は、制御信号を選択して受信しているので、選択されなかった制御信号の処理を行う必要がなく、移動局１０における受信負荷の軽減、電源の節約を図ることができる。
【００７９】
また、第２実施形態に係るハンドオーバー制御方法も同様に、複数の制御信号のうち、データ信号を送出している基地局３０Ａからの制御信号を選択して受信し、その受信電力に関する情報を基地局３０Ａに送信し、これに基づいてデータ信号の送信電力を制御することにより、共有チャネルの受信品質の低下を防止することができる。
【００８０】
（第３実施形態）
次に、本発明の第３実施形態に係る移動通信システムについて説明する。第３実施形態に係る移動通信システムは、基本的な構成は第１実施形態に係る移動通信システム１と同じである（図４、図５参照）。第３実施形態に係る移動通信システムの移動局は、第１実施形態において説明した移動局１０とは異なり、受信電力情報送信部２０は、Ａ−ＤＰＣＨ送受信部１３によって受信した複数の制御信号から一の制御信号を選択して基地局３０Ａに送信するのではなく、受信した制御信号のそれぞれの受信電力情報を基地局３０Ａに送信する機能を有する。そして、第３実施形態に係る移動通信システムの基地局３０に備えられた制御装置４０は、移動局１０から送信された複数の受信電力情報のうちから、当該基地局３０Ａから送信された制御信号の受信電力情報を選択し、当該受信電力情報に基づいてＰ−ＤＳＣＨによるデータ信号の送信電力の制御を行う機能を有する。
【００８１】
続いて、第３実施形態に係る移動通信システムによるハンドオーバー制御の動作について説明し、併せて、本発明の第３施形態に係るハンドオーバー制御方法について説明する。図８は、第３実施形態に係る移動通信システムによるハンドオーバー制御の動作を示すフローチャートである。
【００８２】
まず、複数の基地局３０Ａ，３０Ｂが移動局１０にＡ−ＤＰＣＨによって制御信号を送信する（Ｓ１０）。移動局１０は、基地局３０Ａ，３０Ｂから送信された制御信号をＡ−ＤＰＣＨ送受信部１３によって受信する（Ｓ１２）。
【００８３】
続いて、一の基地局３０Ａが移動局１０にＰＤＳＣＨによってデータ信号を送信する（Ｓ１４）。移動局１０は、基地局３０Ａから送信されたデータ信号をＰＤＳＣＨ受信部１５によって受信する（Ｓ１６）。次に、移動局１０は、それぞれの基地局３０Ａ，３０Ｂから受信した制御信号の受信電力に関する情報を、データ信号を送信している基地局３０Ａに送信する（Ｓ２０）。基地局３０Ａは、移動局１０から送信された受信電力に関する情報を受信する（Ｓ２２）。
【００８４】
次に、基地局３０Ａに備えられた制御装置４０は、受信した複数の受信電力情報のうちから、当該基地局３０Ａから送信された制御信号の受信電力情報を選択し（Ｓ２３）、当該受信電力情報に基づいてＰ−ＤＳＣＨによるデータ送信の送信電力を制御する（Ｓ２４）。そして、基地局３０Ａは、制御された送信電力を用いて、ＰＤＳＣＨによって移動局１０にデータ信号を送信する（Ｓ２６）。移動局１０は、基地局３０Ａから送信されたデータ信号を受信する（Ｓ２８）。なお、このフローは、送信すべきデータを送信し終えるまで繰り返される。
【００８５】
第３実施形態に係る移動通信システムは、移動局１０が複数の基地局３０Ａ，３０ＢからＡ−ＤＰＣＨによって送信された制御信号を受信し、それぞれの基地局３０Ａ，３０Ｂからの制御信号の受信電力に関する情報を基地局３０Ａに送信している。そして、基地局３０Ａに備えられた制御装置４０が、移動局１０から送信された複数の受信電力情報のうちの一の受信電力情報を選択し、受信電力情報に基づいてデータ信号の送信電力を制御している。これにより、第１実施形態に係る移動通信システム１と同様に、共有チャネルによるデータ信号と専有チャネルによる制御信号との品質のバランスを保ち、共有チャネルでの受信品質の低下を防止することができる。
【００８６】
また、第３実施形態に係るハンドオーバー制御方法も同様に、移動局１０は、複数の基地局３０Ａ，３０Ｂからの制御信号を受信し、それぞれの制御信号の受信電力に関する情報を基地局３０Ａに送信する。そして、送信された受信電力情報のうちの一の受信電力情報を選択し、これに基づいてデータ信号の送信電力を制御することにより、共有チャネルの受信品質の低下を防止することができる。
【００８７】
（第４実施形態）
最後に、本発明の実施形態にかかるハンドオーバー制御プログラム、および、当該ハンドオーバー制御プログラムを記録したコンピュータ読み取り可能な記録媒体（以下、単に「記録媒体」という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００８８】
図９は、本発明の実施形態にかかる記録媒体６０の構成図である。記録媒体には、図９に示すように、複数のモジュールからなるハンドオーバー制御プログラムが記録されている。ハンドオーバー制御プログラムは、複数の移動局が共有する第１のチャネルと、それぞれの移動局が専有する第２のチャネルとによってデータ送信が行われる移動通信システムにおいて、移動局のハンドオーバーの制御を行うプログラムである。なお、このハンドオーバー制御プログラムが実行されるコンピュータとしては、携帯電話などの移動端末が挙げられる。ハンドオーバー制御プログラムは、図９に示すように、コンピュータに、Ａ−ＤＰＣＨによってデータを送受信させるＡ−ＤＰＣＨ送受信モジュール６１と、Ａ−ＤＰＣＨ送受信モジュール６１によるデータの送信／受信を制御するＡ−ＤＰＣＨ送受信制御モジュール６２と、ＰＤＳＣＨによってデータを受信させて復号させるＰＤＳＣＨ受信モジュール６３と、ＰＤＳＣＨ受信モジュール６３によるデータの受信／停止を制御するＰＤＳＣＨ受信制御モジュール６４と、ハンドオーバーの動作を制御するハンドオーバー制御モジュール６５と、ダイバーシチハンドオーバーブランチとなり得る基地局を管理するアクティブセット管理モジュール６６と、Ａ−ＤＰＣＨによって受信させた制御信号の受信電力に関する情報を基地局に送信する受信電力情報送信モジュール６７と、を備えている。ここで、Ａ−ＤＰＣＨ送受信モジュール６１、Ａ−ＤＰＣＨ送受信制御モジュール６２、ＰＤＳＣＨ受信モジュール６３、ＰＤＳＣＨ受信制御モジュール６４、ハンドオーバー制御モジュール６５、受信電力情報送信モジュール６７をコンピュータによって実行させて実現される機能は、第１実施形態に係る移動通信システム１の移動局１０におけるＡ−ＤＰＣＨ送受信部１３、Ａ−ＤＰＣＨ送受信制御部１４、ＰＤＳＣＨ受信部１５、ＰＤＳＣＨ受信制御部１６、ハンドオーバー制御部１９、受信電力情報送信部２０のそれぞれの機能と同様である。また、アクティブセット管理モジュール６６をコンピュータによって実行させて実現される機能は、第１実施形態に係る移動通信システム１の移動局１０におけるアクティブセット管理部１７の機能に加え、ハンドオーバー制御プログラムが実行されるコンピュータ内に当該移動局１０のアクティブセット記憶領域１８と同じ情報を記憶させる記憶領域を構築する機能を有する。
【００８９】
図１０は、記録媒体６０に記録されたハンドオーバー制御プログラムを実行するためのコンピュータのシステム構成図であり、図１１は、記録媒体６０に記録されたハンドオーバー制御プログラムを実行するためのコンピュータ（ここでは、携帯電話）の斜視図である。コンピュータは、図１０及び図１１に示すように、オペレーティングシステムを常駐させた作業用メモリ（ＲＡＭ）１０４と、表示手段であるディスプレイ１０６と、入力手段であるキーパッド１１０と、通信手段である通信ユニット１１２と、ハンドオーバー制御プログラムの実行等を制御するＣＰＵ１１４とを備えている。
【００９０】
第４実施形態に係るハンドオーバー制御プログラムは、コンピュータによって実行させることにより、また記録媒体は、記録されたハンドオーバー制御プログラムをコンピュータにインストールして実行させることにより、第１実施形態に係る移動局１０によるハンドオーバー制御と同じ制御を実現させることができ、ハンドオーバー時に、共有チャネルを用いたデータ信号と専有チャネルを用いて制御信号との品質のバランスを保ち、共有チャネルの受信品質の低下を防止することができる。
【００９１】
（第５実施形態）
次に、第５実施形態に係るハンドオーバー制御プログラム、及びハンドオーバー制御プログラムを記録した記録媒体について説明する。第５実施形態に係るハンドオーバー制御プログラムを記録した記録媒体は、第４実施形態に係る記録媒体６０と基本的な構成は同じである（図９参照）。ただし、第５実施形態に係る記録媒体に記録されたＡ−ＤＰＣＨ送受信モジュールによって実現される機能は、第２実施形態に係る移動通信システムにおける移動局１０が有するＡ−ＤＰＣＨ送受信部１３が有する機能と同じである点が第４実施形態に係る記録媒体６０とは異なる。すなわち、第５実施形態におけるＡ−ＤＰＣＨ送受信モジュールをコンピュータによって実行させることにより、コンピュータに、ＰＤＳＣＨによってデータ送信を行う基地局からの制御信号を選択的に受信させる。
【００９２】
第５実施形態に係るハンドオーバー制御プログラムは、コンピュータによって実行させることにより、また記録媒体は、記録されたハンドオーバー制御プログラムをコンピュータにインストールして実行させることにより、第２実施形態に係る移動局のハンドオーバー制御と同じ制御を実現させることができ、ハンドオーバー時に、共有チャネルを用いたデータ信号と専有チャネルを用いて制御信号との品質のバランスを保ち、共有チャネルの受信品質の低下を防止することができる。
【００９３】
以上、本発明の実施形態について詳細に説明したが、本発明は上記実施形態に限定されるものではない。上記実施形態においては、移動局１０から基地局３０に受信電力に関する情報を送信し、基地局３０に備えられた制御装置４０によって共有チャネルの送信電力を制御することとしているが、本発明は、受信電力情報に基づく送信電力の制御に限定されるものではなく、共有チャネルの伝送制御全般に適用することができる。例えば、移動局１０から基地局３０に、信号電力対干渉電力比（ＳＩＲ）などの受信品質に関する情報を送信し、基地局１０に備えられた制御装置４０は受信品質情報に基づいて、共有チャネルの送信電力を制御することとしても良い。また、移動局１０から基地局３０に誤り訂正率に関する情報を送信し、基地局１０に備えられた制御装置４０は誤り訂正率に関する情報に基づいて、共有チャネルの伝送速度を制御することとしても良い。さらに、これらの伝送制御は、共有チャネルのみならず、各移動局専有のチャネルにも適用することができる。
【００９４】
また、上記実施形態では、制御装置４０は基地局３０の内部に設けられているが、制御装置４０は基地局３０の外部に配置することとしても良く、例えば、複数の基地局３０を制御する無線制御装置に設けることとしても良い。
【００９５】
【発明の効果】
本発明によれば、ハンドオーバー時に、第２のチャネル（各移動局専有チャネル）によって複数の基地局から送信される制御信号を受信し、受信した複数の制御のうち、第１のチャネル（共有チャネル）によってデータ送信を行う基地局からの制御信号を選択し、その制御信号の受信品質に関する情報を基地局に送信することによって、当該受信品質情報に基づいて、基地局が送信するデータ信号の伝送制御を行うことができる。これにより、第２のチャネルによって送信される制御信号の品質と、第１のチャネルによって送信されるデータ信号の品質のバランスを保ち、データ信号の受信品質を保つことができる。
【００９６】
また、本発明によれば、ハンドオーバー時に第２のチャネルによって複数の基地局から送信される制御信号のうち、第１のチャネルによってデータ送信を行う基地局からの制御信号を選択的に受信し、その制御信号の受信品質に関する情報を基地局に送信することによって、当該受信品質情報に基づいて、基地局が送信するデータ信号の伝送制御を行うことができる。これにより、第２のチャネルによって送信される制御信号の品質と、第１のチャネルによって送信されるデータ信号の品質のバランスを保ち、データ信号の受信品質を保つことができる。
【図面の簡単な説明】
【図１】実施形態に係る移動通信システムを示す模式図である。
【図２】実施形態に係る移動通信システムに適用されるチャネル設定について説明するための模式図である。
【図３】実施形態に係る移動通信システムで用いられるＰＤＳＣＨとＡ−ＤＰＣＨの構成を説明する図である。
【図４】第１実施形態に係る移動通信システムに適用される移動局を示す図である。
【図５】第１実施形態に係る移動通信システムに適用される基地局を示す図である。
【図６】第１実施形態に係る移動通信システムにおけるハンドオーバー制御の動作を示すフローチャートである。
【図７】第２実施形態に係る移動通信システムにおけるハンドオーバー制御の動作を示すフローチャートである。
【図８】第３実施形態に係る移動通信システムにおけるハンドオーバー制御の動作を示すフローチャートである。
【図９】第４実施形態に係る記録媒体の構成を示す図である。
【図１０】記録媒体に記録されたハンドオーバー制御プログラムを実行するためのコンピュータのシステム構成図である。
【図１１】記録媒体に記録されたハンドオーバー制御プログラムを実行するためのコンピュータの斜視図である。
【符号の説明】
１…移動通信システム、１０…移動局、１１…アンテナ、１２…送受信機、１３…Ａ−ＤＰＣＨ送受信部、１４…Ａ−ＤＰＣＨ送受信制御部、１５…ＰＤＳＣＨ受信部、１６…ＰＤＳＣＨ受信制御部、１７…アクティブセット管理部、１８…アクティブセット記憶領域、１９…ハンドオーバー制御部、２０…受信電力情報送信部、３０…基地局、３１…アンテナ、３２…送受信機、３３…Ａ−ＤＰＣＨ送受信部、３４…Ａ−ＤＰＣＨ送受信制御部、３５…ＰＤＳＣＨ送信部、３６…ＰＤＳＣＨ送信制御部、４０…制御装置、５０…無線ゾーン。
【図１】
0004012391.tif 000002
【図２】
0004012391.tif 000003
【図３】
0004012391.tif 000004
【図４】
0004012391.tif 000005
【図５】
0004012391.tif 000006
【図６】
0004012391.tif 000007
【図７】
0004012391.tif 000008
【図８】
0004012391.tif 000009
【図９】
0004012391.tif 000010
【図１０】
0004012391.tif 000011
【図１１】
0004012391.tif 000012